(57)【要約】【課題】  画像の圧縮に際して画像の領域ごとに異なるコンポーネントで管理するようにして、データの使い勝手を向上させ、処理上の便宜を図る。【解決手段】  画像読込部３１が画像を読み込み（ステップＳ１）、像域分離部３２が像域分離を行なって、（ステップＳ２）、領域分割部３３が像域分離の結果を利用して画像を領域分割する（ステップＳ３）。そして、コンポーネント作成部３４が、領域ごとにコンポーネントを作成して、（ステップＳ４）、符号部３５は、各コンポーネントを異なる圧縮符号化形式で符号化し、（ステップＳ５）、符号列作成部３６が符号データを一本の符号列に合成する（ステップＳ６）。【選択図】  図５
2004248271.tif 000002
【特許請求の範囲】
【請求項１】
領域分割信号に応じて画像の領域を分割する領域分割手段と、
この分割された画像の領域ごとにコンポーネントを作成するコンポーネント作成手段と、
この作成した各コンポーネントを圧縮符号化する符号化手段と、
この符号化した各コンポーネントを符号列に合成する符号列合成手段と、
を備えている画像処理装置。
【請求項２】
前記符号化手段は、前記コンポーネント間で互いに異なる圧縮符号化方式で前記圧縮符号化を行うことを特徴とする、請求項１に記載の画像処理装置。
【請求項３】
前記符号化手段は、前記コンポーネント間で互いに異なる量子化の程度により圧縮符号化することを特徴とする、請求項１又は２に記載の画像処理装置。
【請求項４】
前記圧縮符号化に先立って前記各コンポーネントについて当該コンポーネント間で互いに異なるデータ形式に変更するデータ形式変更手段を備えていることを特徴とする、請求項１乃至３いずれか一項に記載の画像処理装置。
【請求項５】
前記領域分割手段は、前記画像を特定領域とその特定領域以外の領域とに分割することを特徴とする、請求項１乃至４いずれか一項に記載の画像処理装置。
【請求項６】
前記領域分割手段は、前記画像を文字領域、線画領域、写真領域、及び背景領域のうち少なくとも二つの領域に分割することを特徴とする、請求項１乃至５いずれか一項に記載の画像処理装置。
【請求項７】
前記画像の像域を分離することにより前記領域分割信号を生成し、前記領域分割手段に送る像域分離手段をさらに備えている、請求項１乃至６いずれか一項に記載の画像処理装置。
【請求項８】
画像を圧縮符号化し符号列を合成する請求項１乃至７いずれか一項に記載の画像処理装置と、
前記合成された符号列を記憶する記憶手段と、
前記記憶された符号列を復号する復号化手段と、
前記復号された画像データに基づいて画像形成を行なう画像形成手段と、
を備えている画像形成装置。
【請求項９】
領域分割信号に応じて画像の領域を分割する領域分割過程と、
この分割された画像の領域ごとにコンポーネントを作成するコンポーネント作成過程と、
この作成した各コンポーネントを圧縮符号化する符号化過程と、
この符号化した各コンポーネントを符号列に合成する符号列合成過程と、
を備えている画像処理方法。
【請求項１０】
領域分割情報に応じて画像の領域を分割する領域分割処理と、
この分割された画像の領域ごとにコンポーネントを作成するコンポーネント作成処理と、
この作成した各コンポーネントを圧縮符号化する符号化処理と、
この符号化した各コンポーネントを符号列に合成する符号列合成処理と、
をコンピュータに実行させるコンピュータに読み取り可能なプログラム。
【請求項１１】
前記符号化処理は、前記コンポーネント間で互いに異なる圧縮符号化方式で前記圧縮符号化を行うことを特徴とする、請求項１０に記載のプログラム。
【請求項１２】
前記符号化処理は、前記コンポーネント間で互いに異なる量子化の程度により圧縮符号化を行うことを特徴とする、請求項１０又は１１に記載のプログラム。
【請求項１３】
前記圧縮符号化に先立って前記各コンポーネントについて当該コンポーネント間で互いに異なるデータ形式に変更するデータ形式変更処理をコンピュータに実行させる、請求項１０乃至１２いずれか一項に記載のプログラム。
【請求項１４】
前記領域分割処理は、前記画像の特定領域とその特定領域以外の領域とに分割することを特徴とする、請求項１０乃至１３いずれか一項に記載のプログラム。
【請求項１５】
前記領域分割処理は、前記画像を文字領域、線画領域、及び写真領域のうち少なくとも二つの領域に分割することを特徴とする、請求項１０乃至１４いずれか一項に記載のプログラム。
【請求項１６】
前記画像の像域を分離することにより前記領域分割信号を生成し、前記領域分割手段に送る像域分離過程をさらにコンピュータに実行させる、請求項１０乃至１５いずれか一項に記載のプログラム。
【請求項１７】
請求項１０乃至１６いずれか一項に記載のプログラムを記憶している記憶媒体。
【発明の詳細な説明】
【技術分野】
【０００１】
本発明は、画像処理装置、画像形成装置、画像処理方法、プログラムおよび記憶媒体に関し、特に、画像の領域を分割して異なるコンポーネントとして圧縮符号化する画像処理装置、画像形成装置、画像処理方法、プログラムおよび記憶媒体に関する。
【背景技術】
【０００２】
画像圧縮伸長アルゴリズムの国際標準としてＪＰＥＧ２０００が規格化された。ＪＰＥＧ２０００は、一つの画像を複数のコンポーネントに分解し、各コンポーネントを複数の矩形領域（タイル）に分割し、各矩形領域を独立の領域として圧縮符号化するものである。画像は最大２５６のコンポーネントに分解することができる。しかし、一般的には、カラー画像を色成分（例えばＲ、Ｇ、Ｂ成分）に分解して、各色成分を一つのコンポーネントとする場合が多い。
【０００３】
タイル分割、ウェーブレット変換を用いた画像の圧縮符号化方式としては、例えば、特許文献１に開示の技術が知られている。
【０００４】
【特許文献１】特開２００１−２１７７１８号公報
【発明の開示】
【発明が解決しようとする課題】
【０００５】
画像は、文字、線画、写真、背景等の領域を含む。カラー画像を色成分に分解してコンポーネント化した場合、各コンポーネントは文字領域、線画領域、写真領域、背景領域等を含む。これらの領域は、領域ごとに画像の特性や用途が異なる。例えば、各領域は圧縮符号化され復号されたときに画質が劣化するが、領域の特性によって、画質の劣化が目立つものと目立たないものがある。例えば、文字領域においては画質の劣化が目立つが、写真領域においては、文字領域ほど画質の劣化は目立たない。このように、特性や用途が異なる領域を同じコンポーネントとして一律に圧縮符号化した場合、領域によって圧縮符号化の影響が顕著なものと顕著でないものとが混在するという問題があった。
【０００６】
また、圧縮符号化した画像の中から、例えば写真領域のみを取り出して画像形成したい場合、すべてのコンポーネントを一旦復号してから写真領域を取り出す必要があり、画像形成の効率が悪いという問題があった。
【０００７】
一つの画像であっても、特性と用途が異なる領域ごとに圧縮符号化すれば、画像の利便性を向上させることができる。また、必要に応じて領域ごとに異なる画像処理を施すことにより、画像の特性や用途に応じた最適な画像処理を行なうこともできる。また、画像の特定領域がＲＯＩ（Region of Interest）領域に指定されている場合もあり、この特定領域を独立のコンポーネントとして圧縮符号化すれば、ＲＯＩ領域をさらに有効活用することができる。
【０００８】
本発明の目的は、画像の領域ごとに異なるコンポーネントとして圧縮符号化することにより、画像の利便性を向上させ、画像処理の効率化を図ることである。
【０００９】
本発明の別の目的は、画像の領域ごとに各コンポーネントにおいて、画像圧縮方式などを変えることにより、画像の特性や用途に応じて最適な処理を行なうことである。
【課題を解決するための手段】
【００１０】
本発明に係る画像処理装置は、領域分割信号に応じて画像の領域を分割する領域分割手段と、この分割された画像の領域ごとにコンポーネントを作成するコンポーネント作成手段と、この作成した各コンポーネントを圧縮符号化する符号化手段と、この符号化した各コンポーネントを符号列に合成する符号列合成手段と、を備えている画像処理装置である。
【００１１】
領域分割手段は、領域分割信号に応じて、画像の領域を分割する。ここで、領域分割信号は、画像の像域ごとに画像を分割するための信号である。コンポーネント作成手段は、領域分割手段により分割された画像の領域を、領域ごとにコンポーネント化する。画像は、コンポーネントごとに、独立に、符号化手段により圧縮符号化され、符号列合成手段により、符号列が合成される。
【００１２】
本発明の他の目的及び特徴は、添付した図面を参照しながら以下の詳細な説明を読めば明らかとなる。
【発明の効果】
【００１３】
本発明に係る画像処理装置は、分割された画像の領域ごとに異なるコンポーネントを作成して、必要であれば、コンポーネントごとに異なる圧縮符号化方式、量子化の程度、データ形式で画像を圧縮符号化することができるので、圧縮符号化の効率を高め、画像データの利便性を向上させることができる。特に、画像を特定領域とそれ以外の領域、あるいは、文字領域、線画領域、写真領域、背景領域に分割することにより、領域の特性に応じた圧縮符号化をすることができる。
【発明を実施するための最良の形態】
【００１４】
図１は、ＪＰＥＧ２０００のアルゴリズムの概要を示すブロック図である。ＪＰＥＧ２０００のアルゴリズムは、色空間変換・逆変換部１１０、２次元ウェーブレット変換・逆変換部１１１、量子化・逆量子化部１１２、エントロピー符号化・復号化部１１３、タグ処理部１１４で構成されている。
【００１５】
画像データの入出力部分には、色空間変換・逆変換部１１０が設けられることが多い。色空間変換・逆変換部１１０は、画像データが原色系のＲ（赤）／Ｇ（緑）／Ｂ（青）の各コンポーネントに分解されている場合や、補色系のＹ（黄）／Ｍ（マゼンタ）／Ｃ（シアン）の各コンポーネントに分解されている場合に、ＹＣｒＣｂあるいはＹＵＶ表色系へ色空間を変換又は逆変換する。
【００１６】
各ブロックの機能については、ＪＰＥＧ２０００  ＰａｒｔＩ  ＦＤＩＳ（Final Draft International Standard）に準拠し、周知技術なので、説明は省略する。
【００１７】
図２は、カラー画像の画像データが、各色成分のコンポーネントに分解され、さらにタイル分割された例を示す図である。カラー画像は、一般に各色成分のコンポーネント１３０、１３１、１３２（この例ではＲＧＢ原色系）に分解される。各コンポーネントは、さらに矩形領域（タイル）１３０ｔ、１３１ｔ、１３２ｔに分割される。そして、個々のタイルＲ００、Ｒ０１、…、Ｒ１５、Ｇ００、Ｇ０１、…、Ｇ１５、Ｂ００、Ｂ０１、…、Ｂ１５が、それぞれ独立に圧縮伸長される。
【００１８】
画像データの符号化においては、各コンポーネントの各タイルに含まれる画像データが、図１に示した色空間変換部１１０に入力され、色空間変換を施される。その後、２次元ウェーブレット変換部１１１に入力され、２次元ウェーブレット変換（順変換）を施され周波数帯に分割される。
【００１９】
画像データはＪＰＥＧ２０００のアルゴリズムにより符号化された結果、一つのコードストリームとなる。図３は、コードストリームの構造の一例を簡単に示した図である。画像データに含まれる各タイルは、それぞれ符号化データ（ビットストリーム１５２）に変換されている。各符号化データ１５２には、その先頭にタイルパートヘッダ１５１が付加される。さらに、コードストリームの先頭にはメインヘッダ１５０が、コードストリームの末尾にはＥＯＣマーク（End of codestream）１５３が、それぞれ付加される。
【００２０】
一方、コードストリームの復号においては、符号化とは反対に、各符号化データ１５２からタイルがそれぞれ生成され、各タイルをあわせてコンポーネントがそれぞれ生成され、各コンポーネントを合成して画像データが復元される。
【００２１】
ここまでは、一般的な静止画像についての説明であったが、この技術を動画像に拡張することも可能である。すなわち、動画像の各フレームを１枚の静止画像で構成し、これらの静止画像を、アプリケーションに最適なフレーム速度で作成（符号化）あるいは表示（復号化）すればよい。これが、静止画像のＭｏｔｉｏｎ圧縮伸長処理と言われている機能である。この方式は、動画像で現在広く使われているＭＰＥＧ形式のビデオ・ファイルには無い利点を持っている。例えば、フレーム単位で高品質な静止画像を扱えるという利点である。放送局等の業務分野で注目を集めているので、やがて一般消費者向けに普及する可能性も大きい。
【００２２】
［発明の実施の形態１］
本発明の一実施の形態について発明の実施の形態１として説明する。
【００２３】
図４は、本実施の形態であるデジタル複写機１の概略構成を示すブロック図である。このデジタル複写機１は、本発明の画像形成装置を実施するもので、周知の電子写真プロセスにより用紙上などに画像形成を行なうプリンタエンジン２と、原稿の画像を読み取るスキャナ３とを備えている。このデジタル複写機１は、マイクロコンピュータを有するコントローラ５を備えている。このコントローラ５は、具体的には、デジタル複写機１の全体を制御するメインコントローラと、メインコントローラ５各部をそれぞれ制御する複数のサブコントローラとからなるが、ここでは、単一のコントローラ５として図示する。
【００２４】
プリンタエンジン２は、それぞれ感光体、現像装置、クリーニング装置、帯電装置を有していて、Ｋ、Ｍ、Ｃ、Ｙ（ブラック、マゼンタ、シアン、イエロー）各色の乾式トナー像を形成するためのプロセスカートリッジ１１Ｋ、１１Ｍ、１１Ｃ、１１Ｙと、転写ベルト１２と、定着装置１３と、プロセスカートリッジ１１Ｋ、１１Ｍ、１１Ｃ、１１Ｙの各感光体にＫ、Ｍ、Ｃ、Ｙ各色の画像の静電潜像を光書込みする光書込装置１４Ｋ、１４Ｍ、１４Ｃ、１４Ｙとを備えている。また、デジタル複写機１は、カラー画像を記録されるための転写材（記録用紙やＯＨＰなど）を収納する給紙トレイ１５ａ〜１５ｃを備えている。各プロセスカートリッジ１１Ｋ、１１Ｍ、１１Ｃ、１１Ｙは、Ｋ、Ｍ、Ｃ、Ｙ各色のトナー像を転写ベルト１２に重ね合わせて形成し、この重ね合わされたトナー像は、給紙トレイ１５ａ〜１５ｃから供給される転写材に転写されて、定着装置１３により定着される。
【００２５】
また、デジタル複写機１は、図示せぬコントローラ、バンドバッファ２２、符号化部２３、復号化部２４、ページメモリ２５からなる、画像処理装置２６を備えている。
【００２６】
図４において、バンドバッファ２２は、１ページ分の画像データを構成する複数のバンドのうち、一つのバンドに含まれる画素のデータを格納するためのバッファである。ここでバンドとは、所定数の画素ラインから構成される画像データの一領域である。
【００２７】
デジタル複写機１は、ＬＡＮなどの所定のネットワーク４から図示しない通信インターフェイスを介して画像データを受け取ることができる。ＲＩＰ部２１は、ネットワーク４を介して入力された画像データがＰＤＬ（ページ記述言語）形式のデータであるとき、これをバンド単位に描画処理してビットマップ形式に変換して、画像処理装置２６に出力する。
【００２８】
符号化部２３はバンドバッファ２２に格納された画像データを符号化するための符号化装置である。復号手段となる復号化部２４は、圧縮符号を復号するための復号化装置である。本例では、符号化部２３で使用する符号化として静止画圧縮の国際標準であるＪＰＥＧ２０００を使用している。したがって、その符号化後の符号列は、静止画像を一つの領域（タイル）として、又は複数の領域（タイル）に分割しこの各領域を独立して、階層的に圧縮符号化するものである。かかる符号化、復号化については前述のとおりである。
【００２９】
ページメモリ２５は所定ページ分の画像データを圧縮符号として格納（記憶）するためのメモリである。本例のページメモリ２５は、Ａ４サイズの画像データ１ページ分の圧縮符号列を格納可能とする。ハードディスク２７はページメモリ２５に格納された圧縮符号列を取得して格納し、必要に応じてその圧縮符号列をページメモリ２５に再格納するために設けられたメモリである。
【００３０】
ＲＧＢ−＞ＣＭＹＫ変換部２８は、バンドバッファ２２からバンド単位でＲＧＢ（レッド、グリーン、ブルー）色の信号で表現された画像データを受け取り、これをＣＭＹＫ信号に変換する。Ｋ、Ｍ、Ｃ、Ｙ色階調処理部２９Ｋ、２９Ｍ、２９Ｃ、２９Ｙは、それぞれＫ、Ｍ、Ｃ、Ｙ色の多値データを少値化して書込データに変換する機能を果たす。本例では、バンドバッファ２２では１画素８ビットの６００ｄｐｉ画像データを格納し、これをＫ、Ｍ、Ｃ、Ｙ色階調処理部２９Ｋ、２９Ｍ、２９Ｃ、２９Ｙで１画素１ビットの１２００ｄｐｉ画像データへと変換する。
【００３１】
Ｋ、Ｍ、Ｃ色の書込みデータは、画像形成開始タイミングを調節するためにラインメモリ１６Ｋ、１６Ｍ、１６Ｃに格納され、各色の画像が転写材上で重なり合うようにタイミングを合わせてＫ、Ｍ、Ｃ、Ｙの色書込装置１４Ｋ、１４Ｍ、１４Ｃ、１４Ｙに送られる。
【００３２】
図５は、符号化部２３の機能ブロック図である。画像読込部３１は、バンドバッファ２２からバンドの画像データを読み込む。符号部３５は、ＪＰＥＧ２０００アルゴリズムにより、画像読込部３１が読み込んだ画像データを複数のタイルに分割して、タイルごとに独立して階層的に圧縮符号化し、符号データを生成する。符合部３５は、画像読込部３１が読み込んだ画像データを、全体として階層的に圧縮符号化してもよい。符号列合成部３６は、符合部３５が生成したこの符号データを一本の符号列に合成する。
【００３３】
この符号部３５で圧縮符号化する前に、像域分離部３２、領域分割部３３により、次のような処理を行なう。像域分離部３２は、画像読込部３１が読み込んだ画像の像域分離を行なう。具体的には、例えば、周知の技術により画像の領域を文字、線画、写真、及び背景に像域分離する。領域分割部３３は、像域分離部３２による像域分離の結果を利用して、画像を、例えば、文字領域、線画領域、写真領域、及び背景領域に分割する。この分割は、画像単位、タイル単位、プレシンクトサイズ単位、コードブロックサイズ単位に行なうことができる。
【００３４】
このような分割後の各領域の画像から、コンポーネント作成部３４により、それぞれ独立したコンポーネントが作成される。
【００３５】
図６は、画像のコンポーネント化を説明するための図である。図６においては、画像は、画像単位で分割している。画像４０は、例えば、カラー写真領域、線画領域、文字領域、及び背景領域を有する。この画像４０を、像域分離部３２により像域分離し、領域分割部３３により各領域に分割し、コンポーネント作成部３４によりコンポーネント化することにより、４つのコンポーネントが作成される。写真領域コンポーネント４１は、画像４０の写真領域のみを取り出したコンポーネントである。線画領域コンポーネント４２は、画像４０の線画領域のみを取り出したコンポーネントである。文字領域コンポーネント４３は、画像４０の文字領域のみを取り出したコンポーネントである。背景領域コンポーネント４４は、画像４０から写真領域、線画領域、文字領域を除いたコンポーネントである。写真コンポーネント４１はカラー写真を含んでいるので、赤（Ｒ）、緑（Ｇ）、青（Ｂ）等の色成分のコンポーネントにさらに分解してもよい。
【００３６】
符号部３５は、コンポーネント作成部３４で作成されたコンポーネントを符号データに変換する。このとき、符号化部３５は、コンポーネントごとに異なる圧縮符号化方式で符号化してもよい。例えば、文字領域のコンポーネントについては、画像データを量子化しないで符号化し、写真領域のコンポーネントについては、画像データを量子化して符号化する。また、コンポーネントごとに異なる量子化率で符号化してもよい。例えば、文字領域のコンポーネントは、量子化の程度を上げると、復号したときに文字が読みづらくなるので、低量子化率で符号化する。一方、写真領域のコンポーネントは、文字領域と比較して、量子化の程度を上げても、復号したときに量子化の影響は目立たないので、高量子化率で符号化する。線画領域は、中量子化率で符号化する。
【００３７】
あるいは、図７の構成例のように、コンポーネント作成部３４と符合部３５の間にデータ形式変更部３７を設け、データ形式変更部３７により各コンポーネントで異なるデータ形式に変更し、このデータ形式変更後の各コンポーネントについて、符号部３５で同一の圧縮符号化方式で符号化するようにしてもよい。データ形式変更部３７における処理は、例えば、文字領域及び線画領域のコンポーネントについては、画像データを２値化し、写真領域のコンポーネントについては、多値化（例えば、８ビット）すること、などが考えられる。
【００３８】
また、図８の構成例のように、像域分離部３２を用いずに領域分割部３３で画像の領域を分割する構成とすることも考えられる。この場合の領域分割は、例えば、画像の特定領域（一例を挙げると、画像のＲＯＩ（Region of Interest）領域に相当する領域）と、その特定領域以外の領域とに分割することが考えられる。
【００３９】
なお、符号化部２３で行う処理は、一部をハードウエアで実現し、残りの一部をコントローラ５が実行する処理により実現するか、あるいは、その全部をコントローラ５が実行する処理により実現している。
【００４０】
次に、図５、７、８の各符号化部２３により、デジタル複写機１が行う処理についてそれぞれ説明する。
【００４１】
図９は、図５の例における処理のフローチャートである。図５の例においては、図９に示すように、まず、画像読込部３１が画像を読み込み（ステップＳ１）、像域分離部３２が像域分離を行なって、像域分離手段、像域分離処理を実現し（ステップＳ２）、領域分割部３３が像域分離の結果を利用して画像を領域分割して、領域分割手段、領域分割処理を実現する（ステップＳ３）。そして、コンポーネント作成部３４が、領域ごとにコンポーネントを作成して、コンポーネント作成手段、コンポーネント作成処理を実現し（ステップＳ４）、符号部３５は、各コンポーネントを異なる圧縮符号化形式で符号化して、符号化手段、符号化処理を実現する（ステップＳ５）。そして、符号列作成部３６が符号データを一本の符号列に合成して、符号列合成手段、符号列合成処理を実現する（ステップＳ６）。
【００４２】
図７の例においては、図１０のフローチャートに示すように、まず、画像読込部３１が画像を読み込み（ステップＳ１１）、像域分離部３２が像域分離を行なって、像域分離手段、像域分離処理を実現し（ステップＳ１２）、領域分割部３３が像域分離の結果を利用して画像を領域分割して、領域分割手段、領域分割処理を実現する（ステップＳ１３）。そして、コンポーネント作成部３４が、領域ごとにコンポーネントを作成してコンポーネント作成手段、コンポーネント作成処理を実現し（ステップＳ１４）、各コンポーネントを異なるデータ形式に変更した（ステップＳ１５）後、符号部３５は、変更後の各コンポーネントを同一の圧縮符号化形式で符号化し（ステップＳ１６）、符号列作成部３６が符号データを一本の符号列に合成して、符号列合成手段、符号列合成処理を実現する（ステップＳ１７）。
【００４３】
図８の例においては、図１１のフローチャートに示すように、まず、画像読込部３１が画像を読み込み（ステップＳ２１）、像域分離を行うことなく、領域分割部３３が画像を領域分割して、領域分割手段、領域分割処理を実現する（ステップＳ２２）。そして、コンポーネント作成部３４が、領域ごとにコンポーネントを作成して、コンポーネント作成手段、コンポーネント作成処理を実現し（ステップＳ２３）、符号部３５は、各コンポーネントを異なる圧縮符号化形式で符号化して、符号化手段、符号化処理を実現する（ステップＳ２４）。そして、符号列作成部３６が符号データを一本の符号列に合成して、符号列合成手段、符号列合成処理を実現する（ステップＳ２５）。もちろん、図１１の処理において、各コンポーネントを異なるデータ形式に変更して、符号部３５で各コンポーネントを同一の圧縮符号化形式で符号化してもよい。
【００４４】
以上説明したデジタル複写機１によれば、画像の領域ごとに異なるコンポーネントを作成して（ステップＳ４、Ｓ１４、Ｓ２３）、画像を圧縮符号化することができるので（ステップＳ５、Ｓ１６、Ｓ２５）、画像を効率的に圧縮符号化することができ、圧縮符号化された画像の利便性を向上することができる。
【００４５】
また、この場合に、画像の領域ごと（コンポーネントごと）に、最適な圧縮符号化方式で圧縮符号化を行ない（ステップＳ５、Ｓ２４）、あるいは、画像の領域ごと（コンポーネントごと）に、最適なデータ形式に変換してから（ステップＳ１５）、圧縮符号化することができる（ステップＳ１６）。
【００４６】
［発明の実施の形態２］
本発明の別の実施の形態について発明の実施の形態２として説明する。
【００４７】
図１２は、本実施の形態である画像処理装置６１の構成示すブロック図である。図１２に示すように、画像処理装置６１は、ＰＣなどの情報処理装置であり、各種演算を行ない画像処理装置６１の各部を集中的に制御するＣＰＵ６２と、各種のＲＯＭやＲＡＭからなるメモリ６３とが、バス６４で接続されている。
【００４８】
バス６４には、所定のインターフェイスを介して、ハードディスクなどの磁気記憶装置６５と、マウスやキーボードなどで構成される入力装置６６と、ＬＣＤやＣＲＴなどの表示装置６７と、光ディスクなどの記憶媒体６８を読取る記憶媒体読取装置６９とが接続され、また、インターネットなどのネットワーク７０と通信を行なう所定の通信インターフェイス７１が接続されている。なお、記憶媒体６８としては、ＣＤやＤＶＤなどの光ディスク、光磁気ディスク、フレキシブルディスクなどの各種方式のメディアを用いることができる。また、記憶媒体読取装置６９は、具体的には記憶媒体６８の種類に応じて光ディスクドライブ、光磁気ディスクドライブ、フレキシブルディスクドライブなどが用いられる。
【００４９】
磁気記憶装置６５には、この発明のプログラムを実現する画像処理プログラムが記憶されている。この画像処理プログラムは、記憶媒体６８から記憶媒体読取装置６９により読取るか、あるいは、インターネットなどのネットワーク７０からダウンロードするなどして、磁気記憶装置６５にインストールしたものである。このインストールにより画像処理装置６１は動作可能な状態となる。なお、この画像処理プログラムは、所定のＯＳ上で動作するものであってもよい。また、特定のアプリケーションソフトの一部をなすものであってもよい。
【００５０】
このような構成の画像処理装置６１は、画像処理プログラムにより、前述の画像処理装置２６と同様の処理を行なう。よって、符号化部２３、復号化部２４による前述の処理は画像処理プログラムにより実現される。具体的な処理内容については、図５、７、８を参照して前記したとおりであるため、省略する。
【００５１】
これにより、例えば、図８、図１１を参照して前記した例であれば、図１２に示すように画像処理装置６１に課金装置７２を設け、通常は画像の特定領域（この例ではＲＯＩ領域）以外の画像のみを表示装置６７に表示し、課金装置７２で所定金額の課金がされたことを条件に、画像の特定領域も表示するという処理が、特定領域と特定領域以外とでコンポーネントを別にしているため、容易に行えるようになる。
【００５２】
なお、前述の各実施の形態の構成例の他、符号列の上位のレイヤと、これより下位のレイヤとで別コンポーネントとして符号列を作成することなども考えられる。この場合も、通常は下位のレイヤだけを画像表示し、所定金額の課金がなされたことを条件に、画像の上位のレイヤも表示することが、上位と下位のレイヤでコンポーネントを別にしているので、容易に行える。
【００５３】
本発明は、上記の実施の形態によって制限されるものではなく、本発明の範囲を逸脱することなく様々な形態で実施することが可能である。
【産業上の利用可能性】
【００５４】
本発明によれば、分割された画像の領域ごとに異なるコンポーネントを作成して、必要であれば、コンポーネントごとに異なる圧縮符号化方式、量子化の程度、データ形式で画像を圧縮符号化することができる画像処理装置を提供することができる。
【図面の簡単な説明】
【００５５】
【図１】ＪＰＥＧ２０００アルゴリズムの概要を示すブロック図である。
【図２】タイル分割されたカラー画像の各コンポーネントの例を示す図である。
【図３】コードストリームの構造の一例を簡単に示した図である。
【図４】本発明の実施の形態１であるデジタル複写機の概略構成を示すブロック図である。
【図５】デジタル複写機の符号化部の機能ブロック図である。
【図６】画像のコンポーネント化を説明するための図である。
【図７】符号化部の他の構成例の機能ブロック図である。
【図８】符号化部の他の構成例の機能ブロック図である。
【図９】図５の符号化部を用いた処理のフローチャートである。
【図１０】図７の符号化部を用いた処理のフローチャートである。
【図１１】図８の符号化部を用いた処理のフローチャートである。
【図１２】本発明の実施の形態２である情報処理装置の構成を示すブロック図である。
【符号の説明】
【００５６】
１  画像形成装置
２  プリンタエンジン
２６  画像処理装置
６１  画像処理装置
【図１】
2004248271.tif 000003
【図２】
2004248271.tif 000004
【図３】
2004248271.tif 000005
【図４】
2004248271.tif 000006
【図５】
2004248271.tif 000007
【図６】
2004248271.tif 000008
【図７】
2004248271.tif 000009
【図８】
2004248271.tif 000010
【図９】
2004248271.tif 000011
【図１０】
2004248271.tif 000012
【図１１】
2004248271.tif 000013
【図１２】
2004248271.tif 000014